(57)【要約】【課題】操作装置の操作量の測定情報を小規模、かつ、簡易に取得することができる操作量測定方法及び操作量測定システムを提供する。【解決手段】操作量測定システム１及び操作量測定方法において、操作装置２１では、測定部２３を用いて操作部２１Ｓの操作頻度が測定され、第１通信部２４を用いて測定情報Ｄ１が送信される。携帯端末３では、ソフトウエア提供元４から提供されるアプリケーションソフトウエアが記憶、実行される。携帯端末３では測定情報Ｄ１が受信され、アプリケーションソフトウエアは測定情報Ｄ１に応じてプレイ条件が変化する。測定情報Ｄ１は携帯端末３から測定情報Ｄ３としてソフトウエア提供元４へ転送される。ソフトウエア提供元４から操作装置２１の装置製造元５へ、測定情報Ｄ３が測定情報Ｄ４として転送される。装置製造元５では、次期操作装置の開発、製造に測定情報Ｄ４が反映される。【選択図】図１
2019169816.tif 000002
【特許請求の範囲】
【請求項１】
操作部、測定部及び第１通信部を含んで構成される操作装置において、前記測定部を用いて前記操作部の操作量が測定され、前記第１通信部を用いて測定情報が送信されるステップと、
インターフェイス部、記憶部、制御部及び第２通信部を含んで構成される携帯端末において、ソフトウエア提供元から提供され、前記第２通信部を用いて受信される前記測定情報に応じてプレイ条件が変化するアプリケーションソフトウエアが前記記憶部に記憶され、前記インターフェイス部及び前記制御部を用いて前記アプリケーションソフトウエアが実行されるステップと、
前記携帯端末において受信された前記測定情報が前記ソフトウエア提供元へ転送されるステップと、
前記ソフトウエア提供元において、前記測定情報が取得されるステップと、
を備えている操作量測定方法。
【請求項２】
前記ソフトウエア提供元において、取得された前記測定情報が前記操作装置の装置製造元へ転送されるステップを更に備えている
請求項１に記載の操作量測定方法。
【請求項３】
前記装置製造元において、前記ソフトウエア提供元から転送される前記測定情報が取得されるステップを更に備えている
請求項２に記載の操作量測定方法。
【請求項４】
前記装置製造元において、取得された前記測定情報に基づいて、前記操作装置の次期操作装置が製造されるステップを更に備えている
請求項３に記載の操作量測定方法。
【請求項５】
前記アプリケーションソフトウエアが実行されるステップにおいて、前記携帯端末の使用者から前記ソフトウエア提供元へ、前記アプリケーションソフトウエアの使用料が支払われる
請求項１〜請求項４のいずれか１項に記載の操作量測定方法。
【請求項６】
前記アプリケーションソフトウエアが実行されるステップにおいて、前記携帯端末の使用者から前記ソフトウエア提供元へ、前記アプリケーションソフトウエアの使用料が支払われ、
前記測定情報が前記装置製造元へ転送されるステップにおいて、前記ソフトウエア提供元から前記装置製造元へ、前記使用料の一部が支払われる
請求項２に記載の操作量測定方法。
【請求項７】
操作部、測定部及び第１通信部を含んで構成される操作装置において、前記測定部を用いて測定され、前記第１通信部を用いて送信される、前記操作部の操作量を表す測定情報に応じてプレイ条件が変化するアプリケーションソフトウエアが、ソフトウエア提供元から提供され、インターフェイス部、記憶部、制御部及び第２通信部を含んで構成される携帯端末の前記記憶部に記憶されるステップと、
前記第１通信部から前記測定情報が送信されると、前記第２通信部を用いて前記測定情報が受信され、前記インターフェイス部及び前記制御部を用いて前記記憶部に記憶された前記アプリケーションソフトウエアが実行されるステップと、
前記携帯端末から前記ソフトウエア提供元へ前記測定情報が転送されるステップと、
前記ソフトウエア提供元において、前記測定情報が取得されるステップと、
を備えている操作量測定方法。
【請求項８】
前記ソフトウエア提供元において、取得された前記測定情報が前記操作装置の装置製造元へ転送されるステップと、
前記装置製造元において、前記ソフトウエア提供元から転送される前記測定情報を取得し、この取得された前記測定情報に基づいて前記操作装置の次期操作装置が製造されるステップと、
を更に備えている請求項７に記載の操作量測定方法。
【請求項９】
操作部、当該操作部の操作量を測定して測定情報を生成する測定部、及び前記測定情報を送信する第１通信部を含んで構成される操作装置と、
前記測定情報を受信する第２通信部、ソフトウエア提供元から提供され、前記測定情報に応じてプレイ条件が変化するアプリケーションソフトウエアを記憶する記憶部、前記アプリケーションソフトウエアを実行するインターフェイス部及び制御部を含んで構成され、前記測定情報を前記ソフトウエア提供元へ転送する携帯端末と、
を備えている操作量測定システム。
【請求項１０】
前記携帯端末へ前記アプリケーションソフトウエアを提供し、かつ、前記携帯端末から前記測定情報を取得する前記ソフトウエア提供元と、
当該ソフトウエア提供元から前記測定情報を取得し、この取得された前記測定情報に基づいて前記操作装置の次期操作装置を製造する装置製造元と、
を更に備えている請求項９に記載の操作量測定システム。
【発明の詳細な説明】
【技術分野】
【０００１】
本発明は、操作量測定方法及び操作量測定システムに関する。
【背景技術】
【０００２】
下記特許文献１には情報通信システムが開示されている。情報通信システムでは、車両に専用通信機（DCM：Data Communication Module）が搭載され、車両と管理センタとの間において専用通信機を通じて情報の授受が行われている。
例えば、車両の操作情報が専用通信機を通じて管理センタに送信されると、管理センタでは、多種多様な車両の操作情報がビッグデータとして蓄積される。このようなビッグデータは利用価値の高い情報として利用され、又販売されている。
【先行技術文献】
【特許文献】
【０００３】
【特許文献１】特開２００６−１２４９４３号公報
【発明の概要】
【発明が解決しようとする課題】
【０００４】
ところで、車両の操作情報は、操作装置の装置製造元（製造メーカ）において、次期操作装置を開発し製造するための重要な情報となる。操作装置としては、例えば車両に搭載される方向指示器であり、操作情報としては、ターンレバーの操作量情報、具体的には操作回数情報である。また、操作装置として、車両に搭載される変速機の場合には、操作情報はシフトレバーの操作量情報である。
このような操作情報は、現在では、特許文献１に開示されるような、車両に搭載される専用通信機及び管理センタを含む大規模な情報通信システムを利用して取得する方策しかない。このため、小規模、かつ、簡易な方法並びにシステムを用いて操作装置の操作情報を取得することが望まれていた。
【０００５】
本発明は、上記事実を考慮し、操作装置の操作量の測定情報を小規模、かつ、簡易に取得することができる操作量測定方法及び操作量測定システムを提供する。
【課題を解決するための手段】
【０００６】
本発明の第１実施態様に係る操作量測定方法は、操作部、測定部及び第１通信部を含んで構成される操作装置において、測定部を用いて操作部の操作量が測定され、第１通信部を用いて測定情報が送信されるステップと、インターフェイス部、記憶部、制御部及び第２通信部を含んで構成される携帯端末において、ソフトウエア提供元から提供され、第２通信部を用いて受信される測定情報に応じてプレイ条件が変化するアプリケーションソフトウエアが記憶部に記憶され、インターフェイス部及び制御部を用いてアプリケーションソフトウエアが実行されるステップと、携帯端末において受信された測定情報がソフトウエア提供元へ転送されるステップと、ソフトウエア提供元において、測定情報が取得されるステップと、を備えている。
【０００７】
第１実施態様に係る操作量測定方法では、まず操作装置が使用される。この操作装置は操作部を含んで構成される。一方、携帯端末が使用される。携帯端末はインターフェイス部、記憶部及び制御部を含んで構成される。携帯端末では、ソフトウエア提供元から提供されたアプリケーションソフトウエアが記憶部に記憶される。このアプリケーションソフトウエアは、携帯端末において、インターフェイス部及び制御部を用いて実行される。
【０００８】
ここで、操作装置は更に測定部及び第１通信部を含んで構成される。操作装置では、測定部を用いて操作部の操作量が測定され、この測定情報が第１通信部を用いて送信される。また、携帯端末は第２通信部を含んで構成され、携帯端末では第２通信部を用いて測定情報が受信される。加えて、アプリケーションソフトウエアでは、第２通信部を用いて受信される測定情報に応じてプレイ条件が変化する。
例えば、操作量が一定値を超える測定情報が受信されると、アプリケーションソフトウエアを実行するアイテムが追加される、アプリケーションソフトウエアが実行されるステージがランクアップされる等のプレイ条件が変化する。
このようなアプリケーションソフトウエアが携帯端末において実行される。そして、携帯端末において受信された測定情報はソフトウエア提供元へ転送され、ソフトウエア提供元では測定情報が取得される。
このため、操作装置、携帯端末及びソフトウエア提供元を含む小規模、かつ、簡易なシステムにおいて、ソフトウエア提供元では、操作装置における操作部の操作量の測定情報を取得することができる。
【０００９】
本発明の第２実施態様に係る操作量測定方法は、第１実施態様に係る操作量測定方法におけるソフトウエア提供元において、取得された測定情報が操作装置の装置製造元へ転送されるステップを更に備えている。
【００１０】
第２実施態様に係る操作量測定方法では、ソフトウエア提供元において、取得された測定情報が操作装置の装置製造元へ転送される。このため、更に装置製造元を含む小規模、かつ、簡易なシステムにおいて、装置製造元では、操作部の操作量の測定情報が取得可能となる。
【００１１】
本発明の第３実施態様に係る操作量測定方法は、第２実施態様に係る操作量測定方法における装置製造元において、ソフトウエア提供元から転送される測定情報が取得されるステップを更に備えている。
【００１２】
第３実施態様に係る操作量測定方法では、装置製造元において、ソフトウエア提供元から転送される測定情報が取得される。このため、更に装置製造元を含む小規模、かつ、簡易なシステムにおいて、装置製造元では、操作部の操作量の測定情報を取得することができる。
【００１３】
本発明の第４実施態様に係る操作量測定方法は、第３実施態様に係る操作量測定方法における装置製造元において、取得された測定情報に基づいて、操作装置の次期操作装置が製造されるステップを更に備えている。
【００１４】
第４実施態様に係る操作量測定方法では、装置製造元において、取得された測定情報に基づいて、操作装置の次期操作装置が製造される。このため、測定情報が反映された次期操作装置を製造することができる。
ここで、例えば、装置製造元において保証された操作部の操作量を超える測定情報が取得された場合、操作部を含めた操作装置の強度、材料等を見直して次期操作装置を開発し製造することができる。開発費用が削減可能な場合には、次期操作装置の価格に反映させることができる。具体的には、次期操作装置の価格を下げることができる。
【００１５】
本発明の第５実施態様に係る操作量測定方法は、第１実施態様〜第４実施態様のいずれか１つに係る操作量測定方法において、アプリケーションソフトウエアが実行されるステップにおいて、携帯端末の使用者からソフトウエア提供元へ、アプリケーションソフトウエアの使用料が支払われる。
【００１６】
第５実施態様に係る操作量測定方法では、アプリケーションソフトウエアが実行されると、携帯端末の使用者からソフトウエア提供元へ、アプリケーションソフトウエアの使用料が支払われる。このため、ソフトウエア提供元では、測定情報を取得することができ、更にアプリケーションソフトウエアの使用料を得ることができる。
【００１７】
本発明の第６実施態様に係る操作量測定方法は、第２実施態様に係る操作量測定方法において、アプリケーションソフトウエアが実行されるステップにおいて、携帯端末の使用者からソフトウエア提供元へ、アプリケーションソフトウエアの使用料が支払われ、測定情報が装置製造元へ転送されるステップにおいて、ソフトウエア提供元から装置製造元へ、使用料の一部が支払われる。
【００１８】
第６実施態様に係る操作量測定方法では、第５実施態様に係る操作量測定方法により得られる作用に加えて、ソフトウエア提供元から装置製造元へ、使用料の一部が支払われる。このため、装置製造元では、測定情報を取得することができ、更に使用料の一部を得ることができる。
使用料の一部は、例えば上記第４実施態様に係る操作量測定方法により得られる作用と同様に、次期操作装置の製造に反映させることができる。
【００１９】
本発明の第７実施態様に係る操作量測定方法は、操作部、測定部及び第１通信部を含んで構成される操作装置において、測定部を用いて測定され、第１通信部を用いて送信される、操作部の操作量を表す測定情報に応じてプレイ条件が変化するアプリケーションソフトウエアが、ソフトウエア提供元から提供され、インターフェイス部、記憶部、制御部及び第２通信部を含んで構成される携帯端末の記憶部に記憶されるステップと、第１通信部から測定情報が送信されると、第２通信部を用いて測定情報が受信され、インターフェイス部及び制御部を用いて記憶部に記憶されたアプリケーションソフトウエアが実行されるステップと、携帯端末からソフトウエア提供元へ測定情報が転送されるステップと、ソフトウエア提供元において、測定情報が取得されるステップと、を備えている。
【００２０】
第７実施態様に係る操作量測定方法では、まず携帯端末が使用される。携帯端末はインターフェイス部、記憶部及び制御部を含んで構成される。携帯端末の記憶部には、ソフトウエア提供元から提供されたアプリケーションソフトウエアが記憶される。
そして、携帯端末では、インターフェイス部及び制御部を用いて記憶部に記憶されたアプリケーションソフトウエアが実行される。
【００２１】
ここで、アプリケーションソフトウエアでは、操作部、測定部及び第１通信部を含んで構成される操作装置において、測定部を用いて測定され、第１通信部を用いて送信される、操作部の操作量を表す測定情報に応じてプレイ条件が変化する。携帯端末は更に第２通信部を含んで構成される。第１通信部から測定情報が送信されると、携帯端末では第２通信部を用いて測定情報が受信される。
そして、携帯端末からソフトウエア提供元へ測定情報が転送される。ソフトウエア提供元では、操作装置における操作部の操作量の測定情報を取得することができる。
このため、携帯端末及びソフトウエア提供元を含む小規模、かつ、簡易なシステムにおいて、ソフトウエア提供元では、操作装置における操作部の操作量の測定情報を取得することができる。
【００２２】
本発明の第８実施態様に係る操作量測定方法は、第７実施態様に係る操作量測定方法におけるソフトウエア提供元において、取得された測定情報が操作装置の装置製造元へ転送されるステップと、装置製造元において、ソフトウエア提供元から転送される測定情報を取得し、この取得された測定情報に基づいて操作装置の次期操作装置が製造されるステップと、を備えている。
【００２３】
第８実施態様に係る操作量測定方法では、ソフトウエア提供元において取得された測定情報が操作装置の装置製造元へ転送される。そして、装置製造元においてソフトウエア提供元から転送される測定情報が取得され、この取得された測定情報に基づいて操作装置の次期操作装置が製造される。
このため、更に装置製造元を含む小規模、かつ、簡易なシステムにおいて、装置製造元では、操作部の操作量の測定情報を取得することができ、取得された測定情報が反映された次期操作装置を製造することができる。
【００２４】
本発明の第９実施態様に係る操作量測定システムは、操作部、当該操作部の操作量を測定して測定情報を生成する測定部、及び測定情報を送信する第１通信部を含んで構成される操作装置と、測定情報を受信する第２通信部、ソフトウエア提供元から提供され、測定情報に応じてプレイ条件が変化するアプリケーションソフトウエアを記憶する記憶部、アプリケーションソフトウエアを実行するインターフェイス部及び制御部を含んで構成され、測定情報をソフトウエア提供元へ転送する携帯端末と、を備えている。
【００２５】
第９実施態様に係る操作量測定システムは操作装置及び携帯端末を備える。操作装置は操作部を含んで構成される。携帯端末は、ソフトウエア提供元から提供されるアプリケーションソフトウエアを記憶する記憶部と、アプリケーションソフトウエアを実行するインターフェイス部及び制御部とを含んで構成される。
【００２６】
ここで、操作装置は更に測定部及び第１通信部を含んで構成され、携帯端末は更に第２通信部を含んで構成される。測定部では、操作部の操作量を測定して測定情報が生成される。第１通信部は測定情報を送信する。第２通信部は測定情報を受信する。そして、ソフトウエア提供元から提供されるアプリケーションソフトウエアでは、携帯端末において取得された測定情報に応じてプレイ条件が変化する。
このため、操作装置における操作部の操作量を表す測定情報が携帯端末において取得され、携帯端末においてアプリケーションソフトウエアが実行される。そして、携帯端末からソフトウエア提供元へ測定情報が転送される。すなわち、操作装置、携帯端末及びソフトウエア提供元を含む小規模、かつ、簡易なシステムにおいて、ソフトウエア提供元では、操作装置における操作部の操作量の測定情報が取得可能となる。
【００２７】
本発明の第１０実施態様に係る操作量測定システムは、第９実施態様に係る操作量測定システムにおいて、携帯端末へアプリケーションソフトウエアを提供し、かつ、携帯端末から測定情報を取得するソフトウエア提供元と、ソフトウエア提供元から測定情報を取得し、この取得された測定情報に基づいて操作装置の次期操作装置を製造する装置製造元と、を更に備えている。
【００２８】
第１０実施態様に係る操作量測定システムは、ソフトウエア提供元と、装置製造元とを更に備える。ソフトウエア提供元は、携帯端末へアプリケーションソフトウエアを提供し、かつ、携帯端末から測定情報を取得する。装置製造元は、ソフトウエア提供元から測定情報を取得し、この取得された情報に基づいて操作装置の次期操作装置を製造する。
このため、ソフトウエア提供元及び装置製造元を含む小規模、かつ、簡易なシステムにより取得される測定情報に基づいて、装置製造元では、測定情報が反映された次期操作装置を製造することができる。
【発明の効果】
【００２９】
本発明によれば、操作装置の操作量の測定情報を小規模、かつ、簡易に取得することができる操作量測定方法及び操作量測定システムを提供することができる。
【図面の簡単な説明】
【００３０】
【図１】本発明の一実施の形態に係る操作量測定システムの概略構成図である。
【図２】図１に示される操作量測定システムを構築する携帯端末の概略的なブロック回路構成図である。
【図３】図１及び図２に示される操作量測定システムの操作量測定方法を説明するフローチャートである。
【発明を実施するための形態】
【００３１】
図１〜図３を用いて、本発明の一実施の形態に係る操作量測定システム及び操作量測定方法を説明する。
【００３２】
（操作量測定システムの全体構成）
本実施の形態は、自動車等の車両に搭載される操作装置の操作量を測定する操作量測定システム及び操作量測定方法に本発明を適用した例を説明する。
図１に示されるように、本実施の形態に係る操作量測定システム１は、車両２に搭載された操作装置２１と、車両２の図示省略の使用者が所持する携帯端末３と、ソフトウエア提供元４と、更に装置製造元５とを含んで構築されている。ここで、使用者とは、車両２の所有者であることが適切である。
【００３３】
（１）操作装置２１の構成
図１において左下部分に示される車両２では、運転席に着座状態の使用者（運転者）の車両前方側にステアリング２０が配設されている。
使用者から見て、ステアリング２０の左側には、ウォッシャスイッチを兼ねたワイパースイッチ２２が装着されている。ワイパースイッチ２２は符号省略のスイッチレバーを備えている。スイッチレバーを一段下げると、ワイパースイッチ２２がオン状態とされ、更にもう一段下げると、ワイパーの払拭スピードが速くなる構成とされている。
また、使用者がスイッチレバーを手前側へ引くと、ウォッシャスイッチがオン状態とされ、フロントウインドウガラスにウォッシャ液が噴射される構成とされている。
【００３４】
使用者から見て、ステアリング２０の右側には、本実施の形態において操作量の測定対象とされる操作装置２１が配設されている。つまり、操作装置２１は、ターンレバースイッチを操作部２１Ｓとして備えた方向指示器とされている。
ターンレバースイッチを上げると、車両２の車両幅方向左側に配設されたフロントウインカ及びリアウインカが点滅する。逆に、ターンレバースイッチを下げると、車両２の車両幅方向右側に配設されたフロントウインカ及びリアウインカが点滅する。
また、ターンレバースイッチの先端部位には回転可能な図示省略のライトスイッチが配設されている。ライトスイッチを回転させることにより、フォグランプのオンオフの切り替え、フロントライトのオンオフの切り替えが行える。
【００３５】
操作装置２１は、操作部２１Ｓに加えて、更に測定部２３及び第１通信部２４を含んで構成されている。
測定部２３は、操作部２１Ｓ、つまりターンレバースイッチの操作量、具体的には操作回数、操作頻度、操作方向、操作力等の操作に関する指標を測定し、操作量を表す測定情報を生成する。例えば、操作回数を操作量として測定する場合には、操作回数がカウントされる。この測定情報は、第１通信部２４を用いて測定情報Ｄ１として送信される。第１通信部２４の送信先は携帯端末３とされる。第１通信部２４は、送信範囲が限られているので、ここでは近距離無線通信規格（IEEE 802.15.1）の１つであるブルートゥース
（Bluetooth（登録商標））を用いて構成されている。
【００３６】
第１通信部２４は、通信範囲内に携帯端末３が存在する際に、常時、測定情報Ｄ１を送信する構成とされている。また、第１通信部２４は、予め設定された期間経過後にこの期間内において蓄積された測定情報Ｄ１を送信する構成、或いは予め設定された一定値の頻度に達した後にこの頻度の測定情報Ｄ１を送信する構成とされてもよい。さらに、第１通信部２４は、通信範囲外に携帯端末３が存在する際に測定情報を蓄積し、携帯端末３が通信範囲外から通信範囲内へ移動した際に、蓄積された測定情報を測定情報Ｄ１として送信する構成としてもよい。
【００３７】
（２）携帯端末３の構成
携帯端末３として、本実施の形態では、携帯機器用オペレーションシステムを備えた携帯電話機の１種とされるスマートフォン（smartphone）が使用されている。図２に示されるように、携帯端末３は、記憶部３１と、インターフェイス部３２と、制御部３３と、表示部３４と、第３通信部３５とを備え、更に第２通信部３６を含んで構成されている。
【００３８】
記憶部３１では、オペレーションシステム情報、使用者情報、音声情報、画像情報等の各種情報が記憶され、更に図１に示されるソフトウエア提供元４から提供されるアプリケーションソフトウエアが記憶される。
インターフェイス部３２は使用者が携帯端末３を操作するための入出力部である。
制御部３３は中央演算処理ユニット（CPU）を含んで構成されている。制御部３３では、インターフェイス部３２を用いた操作により、オペレーションシステム、アプリケーションソフトウエア等を実行させることができる。
表示部３４は液晶、有機エレクトロルミネッセンス等を用いて構成された表示パネルである。表示部３４では、オペレーションシステムの実行によるアイコン、文字、画像等の記号を表示することができ、又アプリケーションソフトウエアの実行による処理内容を表示することができる。
【００３９】
第３通信部３５は、国際標準規格IEEE 802.11を用いて構成され、インターネット通信回線に接続可能とされている。具体的には、第３通信部３５は、無線ラン（LAN: Local Area Network）の１つの規格であるワイファイ（Wi-Fi）を用いて構成されている。
一方、第２通信部３６は、操作装置２１の第１通信部２４と同一のブルートゥース（Bluetooth（登録商標））を用いて構成されている。第２通信部３６では、第１通信部２４から送信される測定情報Ｄ１が受信される。
【００４０】
携帯端末３において、記憶部３１、インターフェイス部３２、制御部３３、表示部３４、第３通信部３５、第２通信部３６のそれぞれは共通バス３０を通じて相互に接続されている。
なお、携帯端末３では、図示省略の二次電池（バッテリ）等が更に設けられている。また、携帯端末３は、ガラパゴス携帯と称される携帯電話機、パーソナルコンピュータ特にノート型パーソナルコンピュータ、タブレット型パーソナルコンピュータのいずれかであってもよい。
【００４１】
（３）ソフトウエア提供元４の説明
図１に戻って、ソフトウエア提供元４では、アプリケーションソフトウエアが開発され、製作されている。製作されたアプリケーションソフトウエアは、アプリケーションソフトウエア情報（以下、単に「アプリ情報」と言う。）Ｄ２として、ソフトウエア提供元４から使用者へ提供される。提供方法は、例えば、インターネット通信回線を通じて、又はUSB（Universal Serial Bus）メモリ、ディスク等の記録媒体を介在させて、携帯端末３の記憶部３１に記憶される。
ここで、アプリ情報Ｄ２がソフトウエア提供元４から使用者へ提供された対価として、使用者からソフトウエア提供元４へアプリ情報Ｄ２の情報料Ｃ１が支払われる。
【００４２】
ここで、特に限定されるものではないが、本実施の形態では、アプリケーションソフトウエアはゲームソフトウエアとされている。このゲームソフトウエアは、第２通信部３６を用いて受信された測定情報Ｄ１に応じて、プレイ条件が変化する構成とされている。例えば、携帯端末３において、操作装置２１の操作部２１Ｓの操作量が一定値を超える測定情報Ｄ１が受信されると、ゲームソフトウエアを実行するアイテム（item）が追加され、ゲームソフトウエアのプレイ条件が変化する。
【００４３】
アイテムは、例えば携帯端末３において受信された測定情報Ｄ１が第３通信部３５（図２参照）を通じて測定情報Ｄ３としてソフトウエア提供元４へ転送されると、アプリ情報Ｄ２の一部としてソフトウエア提供元４から提供され、追加される。また、アイテムはゲームソフトウエアに暗号コードに保護されて予め組み込まれ、測定情報Ｄ３の転送に対応して、ソフトウエア提供元４から暗号コードの解除情報が提供され、この解除情報に基づいてアイテムが追加される構成とされてもよい。
【００４４】
アイテムが追加されると、使用者によるゲームソフトウエアの実行頻度、すなわちアプリケーションソフトウエアの実行回数が高まる。このアプリケーションソフトウエアの実行頻度に応じて、使用者に対する使用料Ｃ２が発生し、使用者からソフトウエア提供元４へ使用料Ｃ２が支払われる。
【００４５】
このように、ソフトウエア提供元４では、まず使用者の携帯端末３へ測定情報Ｄ１に応じてプレイ条件が変化するアプリ情報Ｄ２が提供される。そして、ソフトウエア提供元４では、アプリ情報Ｄ２の提供に伴う使用料Ｃ１及びアプリケーションソフトウエアの実行頻度に応じた使用料Ｃ２が使用者から支払われる。この使用料Ｃ１及び使用料Ｃ２の収益に加えて、ソフトウエア提供元４では、使用者から操作装置２１の操作量を測定情報Ｄ３として取得することができる。
【００４６】
なお、ゲームソフトウエアは、アイテムが追加されてプレイ条件が変化する構成とされているが、例えばゲームソフトウエアが実行されるステージ（stage）が測定情報Ｄ１に応じてランクアップされてプレイ条件が変化する構成とされてもよい。
また、アプリケーションソフトウエアは、ゲームソフトウエアに限定されるものではない。例えば、測定情報Ｄ１に応じてプレイ条件が変化する構成であれば、文章作成ソフトウエア、画像作成ソフトウエア、地図ソフトウエア等、他のアプリケーションソフトウエアが使用されてもよい。
一例として、測定情報Ｄ１に応じて例えばフォント種類が追加され、文字入力に対して文字フォントが変化する、プレイ条件を有する文書作成ソフトウエアが使用されてもよい。また、測定情報Ｄ１に応じて例えば画像アイテムが追加され、画像の作成手法が変化する、プレイ条件を有する画像作成ソフトウエアが使用されてもよい。さらに、測定情報Ｄ１に応じて施設情報等が追加され、目的地の検索手法が変化する、プレイ条件を有する地図ソフトウエアが使用されてもよい。
【００４７】
（４）装置製造元５の説明
装置製造元５では、車両２の製造会社、例えば車両２を組み立てる自動車会社、又部品交換として、直接、使用者等に販売する操作装置２１が開発され、製造されている。図１に示されるように、ソフトウエア提供元４において取得された測定情報Ｄ３は、ソフトウエア提供元４から装置製造元５へ測定情報Ｄ４として転送される。装置製造元５は測定情報Ｄ４を取得し、装置製造元５では、測定情報Ｄ４に基づいて、操作装置２１の次期操作装置が開発され、製造される。測定情報Ｄ４の転送には、例えばインターネット通信回線が使用される。
【００４８】
例えば、装置製造元５において保証された操作装置２１の操作部２１Ｓの操作量を超える測定情報Ｄ４が取得された場合、操作部２１Ｓを含めた操作装置２１の強度、材料等が見直される。例示として、操作装置２１の操作部２１Ｓであるターンレバースイッチの操作回数が保証された例えば１０万回に達しても不具合が生じない場合、ターンレバースイッチの構造が簡素化され、又安価な材料が選択される。
このように構造、材料等が見直され、次期操作装置が開発され、製造される。
例えば、装置製造元５における耐久試験が簡素化され又は省略可能になると、次期操作装置の開発費用が削減可能となり、次期操作装置の価格に反映させることができるので、次期操作装置の価格Ｍを下げることができる。
【００４９】
また、ソフトウエア提供元４では、使用者からの収益の一部となる、使用料Ｃ１及び使用料Ｃ２のうちの一部が、装置製造元５へ支払われる。収益の一部は、例えばゲームソフトウエアの実行頻度の促進に寄与をもたらした対価として支払われる。
そして、装置製造元５では、収益の一部を次期操作装置の価格に反映させることができ、次期操作装置の価格Ｍを更に下げることができる。結果として、使用者においては、次期操作装置が組み込まれた新たな車両２を購入する際に、次期操作装置の価格Ｍが下げられているので、その分、新たな車両２を安価に購入することができる。
【００５０】
なお、使用料Ｃ１、使用料Ｃ２、収益の一部は、金銭、仮想コイン、価値ポイント、その他のいずれであってもよい。
【００５１】
（操作量測定方法）
図１に示される操作量測定システム１の操作量測定方法は以下の通りである。操作量測定方法は、前述の図１及び図２を参照しつつ、図３を用いて説明する。
【００５２】
本実施の形態に係る操作量測定方法は、まず、図１に示される車両２の運転操作が開始される。ここでは、操作装置２１として方向指示器が操作量の測定対象とされているので、操作部２１Ｓ、つまりターンレバースイッチが操作されたか否かが判定される（ステップＳ１）。
操作部２１Ｓが操作されていないと判定された場合、ステップＳ１の前段へ戻る。
【００５３】
ステップＳ１において、操作部２１Ｓが操作されていると判定された場合、図１に示される測定部２３を用いて操作部２１Ｓの操作量が測定される（ステップＳ２）。操作部２１Ｓでは、操作部２１Ｓが１回操作されると、操作回数が１回と測定され、測定結果が測定情報として生成される。
測定部２３により生成された測定情報は、図１に示される第１通信部２４を用いて測定情報Ｄ１として送信される。測定情報Ｄ１は、操作量の測定毎（例えば、操作回数が１回毎）に送信してもよいし、蓄積された一定値毎（例えば測定回数が１０回毎）に送信してもよい。
なお、操作装置２１の第１通信部２４と、携帯端末３の図２に示される第２通信部３６との間では、予め相互認証（ペアリング：pairing）が実施されているので、第１通信部２４から送信される測定情報Ｄ１は携帯端末３の第２通信部３６のみに送信される。
【００５４】
第１通信部２４と第２通信部３６とが通信範囲内にあるとき、携帯端末３の第２通信部３６では、第１通信部２４から送信された測定情報Ｄ１が受信される（ステップＳ４）。
【００５５】
一方、車両２の使用者は、図１に示されるソフトウエア提供元４から提供されるアプリケーションソフトウエアをアプリ情報Ｄ２として取得し、携帯端末３の記憶部３１に記憶させる（ステップＳ５）。アプリ情報Ｄ２の取得により、使用者はソフトウエア提供元４へ使用料Ｃ１を支払う。アプリケーションソフトウエアが取得されていない場合には、ステップＳ５の前段に戻る。
【００５６】
使用者は、図１に示される携帯端末３のインターフェイス部３２を操作することにより、制御部３３を用いて記憶部３１に記憶されたアプリケーションソフトウエアを実行させる（ステップＳ６）。上記の通り、アプリケーションソフトウエアは測定情報Ｄ１に応じてプレイ条件が変化する構成とされている。測定情報Ｄ１は例えば第３通信部３５を用いてソフトウエア提供元４へ測定情報Ｄ３として転送される。ソフトウエア提供元４では測定情報Ｄ３が取得されると、測定情報Ｄ３に応じてプレイ条件が変化するアプリ情報Ｄ２の一部を携帯端末３へ提供する。ここで、アプリ情報Ｄ２の一部の提供は、アプリケーションソフトウエアの実行頻度の増加を促進する、ソフトウエア提供元４から使用者へのエンターテイメント（entertainment）又はそれに類似するコンテンツ（contents）の提供とされている。
アプリケーションソフトウエアが実行されることにより、使用料Ｃ２が発生したか否かが判定される（ステップＳ７）。使用料Ｃ２が発生していない場合、ステップＳ６の前段へ戻る。使用料Ｃ２が発生している場合、使用者からソフトウエア提供元４へ使用料Ｃ２が支払われる（ステップＳ８）。ソフトウエア提供元４では、測定情報Ｄ３が取得され、加えて使用料Ｃ１及び使用料Ｃ２を受領することができる。
【００５７】
ソフトウエア提供元４は、携帯端末３から転送されて取得した測定情報Ｄ３を測定情報Ｄ４として装置製造元５へ転送する。また、ソフトウエア提供元４は、使用者からの収益の一部を装置製造元５へ支払う（ステップＳ９）。なお、ソフトウエア提供元４は装置製造元５へ測定情報Ｄ４のみを転送してもよい。
【００５８】
装置製造元５では、ソフトウエア提供元４から転送された測定情報Ｄ４を取得することができ、更に収益の一部も受領することができる（ステップＳ１０）。装置製造元５では、測定情報Ｄ４に基づいて、操作装置２１の次期操作装置が開発され、製造される（ステップＳ１１）。
上記一連のステップが終了すると、本実施の形態に係る操作量測定方法が終了する。
なお、次期操作装置は新たな車両２に組み込まれ、使用者においては、次期操作装置の価格Ｍが下げられた車両２を購入することができる。操作量測定方法は、新たな車両２の購入までのステップを含めて構築されてもよい。
【００５９】
（本実施の形態の作用及び効果）
図３に示される本実施の形態に係る操作量測定方法では、まず図１に示される操作装置２１が使用される（ステップＳ１）。操作装置２１は操作部２１Ｓを含んで構成される。
一方、携帯端末３が使用される（ステップＳ５及びステップＳ６）。携帯端末３は、図２に示されるように、インターフェイス部３２、記憶部３１及び制御部３３を含んで構成される。携帯端末３では、ソフトウエア提供元４から提供されたアプリケーションソフトウエア（アプリ情報Ｄ２）が記憶部３１に記憶される（ステップＳ５）。このアプリケーションソフトウエアは、携帯端末３において、インターフェイス部３２及び制御部３３を用いて実行される（ステップＳ６）。
【００６０】
ここで、図１に示されるように、操作装置２１は更に測定部２３及び第１通信部２４を含んで構成される。ステップＳ２において、操作装置２１では、測定部２３を用いて操作部２１Ｓの操作量が測定され、ステップＳ３において、この測定情報が第１通信部２４を用いて測定情報Ｄ１として送信される。また、図２に示されるように、携帯端末３は第２通信部３６を含んで構成され、ステップＳ４において、携帯端末３では第２通信部３６を用いて測定情報Ｄ１が受信される。加えて、アプリケーションソフトウエアでは、第２通信部３６を用いて受信される測定情報Ｄ１に応じてプレイ条件が変化する。
ステップＳ６においては、携帯端末３において受信された測定情報Ｄ１が測定情報Ｄ３としてソフトウエア提供元４へ転送される。そして、ソフトウエア提供元４では、測定情報Ｄ３が取得される。
このため、操作装置２１、携帯端末３及びソフトウエア提供元４を含む小規模、かつ、簡易な操作量測定システム１において、ソフトウエア提供元４では、操作装置２１における操作部２１Ｓの操作量の測定情報を測定情報Ｄ３として取得することができる。
【００６１】
また、操作量測定方法では、図１及び図３に示されるように、ソフトウエア提供元４において、取得された測定情報Ｄ３が測定情報Ｄ４として操作装置２１の装置製造元５へ転送される（ステップＳ９）。このため、更に装置製造元５を含む小規模、かつ、簡易な操作量測定システム１において、装置製造元５では、操作部２１Ｓの操作量の測定情報が測定情報Ｄ４として取得可能となる。
【００６２】
さらに、操作量測定方法では、図１及び図３に示されるように、装置製造元５において、ソフトウエア提供元４から転送される測定情報Ｄ４が取得される（ステップＳ１０）。このため、更に装置製造元５を含む小規模、かつ、簡易な操作量測定システム１において、装置製造元５では、操作部２１Ｓの操作量の測定情報を測定情報Ｄ４として取得することができる。
【００６３】
また、操作量測定方法では、図１及び図３に示されるように、装置製造元５において取得された測定情報Ｄ４に基づいて、操作装置２１の次期操作装置が製造される（ステップＳ１１）。このため、測定情報Ｄ４が反映された次期操作装置を製造することができる。加えて、耐久試験等が簡素化され又は省略可能になるので、開発費用が削減可能となり、次期操作装置の価格Ｍを下げることができる。
【００６４】
さらに、操作量測定方法では、図１及び図３に示されるように、ステップＳ６において、アプリケーションソフトウエアが実行されると、携帯端末３の使用者からソフトウエア提供元４へ、アプリケーションソフトウエアの使用料Ｃ２が支払われる。このため、ソフトウエア提供元４では、測定情報Ｄ３を取得することができ、更にアプリケーションソフトウエアの使用料Ｃ２を得ることができる。
なお、ソフトウエア提供元４では、アプリ情報Ｄ２が使用者に提供されることにより、使用料Ｃ１も得ることができる。
【００６５】
また、操作量測定方法では、図１及び図３に示されるように、ステップＳ９において、ソフトウエア提供元４から装置製造元５へ、測定情報Ｄ４が転送されると共に、使用料Ｃ１及び使用料Ｃ２の一部が支払われる。このため、装置製造元５では、測定情報Ｄ４を取得することができ、更にソフトウエア提供元４から使用料Ｃ１及び使用料Ｃ２の一部を得ることができる。使用料Ｃ１及び使用料Ｃ２の一部は、次期操作装置の価格Ｍに反映させることができる。
【００６６】
さらに、操作量測定方法では、図１〜図３に示されるように、ステップＳ５及びステップＳ６において、携帯端末３が使用される。図２に示されるように、携帯端末３はインターフェイス部３２、記憶部３１及び制御部３３を含んで構成される。携帯端末３の記憶部３１には、ステップＳ５において、ソフトウエア提供元４から提供されたアプリケーションソフトウエアが記憶される。
そして、ステップＳ６において、携帯端末３では、インターフェイス部３２及び制御部３３を用いて記憶部３１に記憶されたアプリケーションソフトウエアが実行される。
【００６７】
ここで、アプリケーションソフトウエアでは、図１に示される、操作部２１Ｓ、測定部２３及び第１通信部２４を含んで構成される操作装置２１において、測定部２３を用いて測定され、第１通信部２４を用いて送信される、操作部２１Ｓの操作量を表す測定情報Ｄ１に応じてプレイ条件が変化する。
図２に示されるように、携帯端末３は更に第２通信部３６を含んで構成される。第１通信部２４から送信される測定情報Ｄ１が送信されると、ステップＳ４において、携帯端末３では第２通信部３６を用いて測定情報Ｄ１が受信される。図１に示されるように、測定情報Ｄ１は携帯端末３からソフトウエア提供元４へ測定情報Ｄ３として転送される（ステップＳ６）。ソフトウエア提供元４では、操作装置２１における操作部２１Ｓの操作量の測定情報を測定情報Ｄ３として取得することができる。
このため、図１に示される携帯端末３及びソフトウエア提供元４を含む小規模、かつ、簡易な操作量測定システム１において、ソフトウエア提供元４では、操作装置２１における操作部２１Ｓの操作量の測定情報を測定情報Ｄ３として取得することができる。
【００６８】
また、操作量測定方法では、図１及び図３に示されるように、ソフトウエア提供元４において取得された測定情報Ｄ３が操作装置２１の装置製造元５へ測定情報Ｄ４として転送される（ステップＳ９）。そして、装置製造元５においてソフトウエア提供元４から転送される測定情報Ｄ４が取得され、この取得された測定情報Ｄ４に基づいて操作装置２１の次期操作装置が製造される。
このため、図１に示されるように、更に装置製造元５を含む小規模、かつ、簡易な操作量測定システム１において、装置製造元５では、操作部２１Ｓの操作量の測定情報を測定情報Ｄ４として取得することができる。これにより、装置製造元５では、取得された測定情報Ｄ４が反映された次期操作装置を製造することができる。
【００６９】
さらに、本実施の形態に係る操作量測定システム１は、図１に示されるように、操作装置２１及び携帯端末３を備える。操作装置２１は操作部２１Ｓを含んで構成される。図１及び図２に示されるように、携帯端末３は、ソフトウエア提供元４から提供されるアプリケーションソフトウエアを記憶する記憶部３１と、アプリケーションソフトウエアを実行するインターフェイス部３２及び制御部３３とを含んで構成される。
【００７０】
ここで、図１に示されるように、操作装置２１は更に測定部２３及び第１通信部２４を含んで構成され、図２に示されるように、携帯端末３は更に第２通信部３６を含んで構成される。測定部２３では、操作部２１Ｓの操作量を測定して測定情報が生成される。第１通信部２４は測定情報を測定情報Ｄ１として送信する。第２通信部３６は測定情報Ｄ１を受信する。そして、ソフトウエア提供元４から提供されるアプリケーションソフトウエアでは、携帯端末３において取得された測定情報Ｄ１に応じてプレイ条件が変化する。
このため、操作装置２１における操作部２１Ｓの操作量を表す測定情報Ｄ１が携帯端末３において取得され、携帯端末３からソフトウエア提供元４へ測定情報Ｄ３を転送することができる。すなわち、図１に示される操作装置２１、携帯端末３及びソフトウエア提供元４を含む小規模、かつ、簡易な操作量測定システム１において、ソフトウエア提供元４では、操作装置２１における操作部２１Ｓの操作量の測定情報を測定情報Ｄ３として取得可能となる。
【００７１】
また、操作量測定システム１は、図１に示されるように、ソフトウエア提供元４と、装置製造元５とを更に備える。ソフトウエア提供元４は、携帯端末３へアプリケーションソフトウエアを提供し、かつ、携帯端末３から測定情報Ｄ３を取得する。装置製造元５は、ソフトウエア提供元４から測定情報Ｄ４を取得し、この取得された情報Ｄ４に基づいて操作装置２１の次期操作装置を製造する。
このため、ソフトウエア提供元４及び装置製造元５を含む小規模、かつ、簡易な操作量測定システム１により取得される測定情報Ｄ４に基づいて、装置製造元５では、測定情報Ｄ４が反映された次期操作装置を製造することができる。
そして、装置製造元５においては、操作装置２１の強度、材料等を見直して次期操作装置を開発し製造するので、製作費用が削減可能な場合には次期操作装置の価格Ｍを下げることができる。加えて、ソフトウエア提供元４から装置製造元５へ、使用者からの収益の一部が支払われる場合には、装置製造元５では、次期操作装置の価格Ｍを更に下げることができる。
【００７２】
［上記実施の形態の補足説明］
本発明は、上記実施の形態に限定されるものではなく、その要旨を逸脱しない範囲において、例えば下記の通り変形可能である。
例えば、本発明は、操作装置をワイパースイッチとし、このワイパースイッチの操作量を測定対象とする操作量測定システム及び操作量測定方法に適用してもよい。
また、本発明は、車両のシフトレバーを操作装置とし、シフタレバーの操作量を測定対象とする操作量測定システム及び操作量測定方法に適用してもよい。
さらに、本発明は、シートベルト装置を操作装置とし、シートベルトの着脱頻度を測定対象とする操作量測定システム及び操作量測定方法に適用してもよい。
また、本発明は、車両の格納式ドアミラーを操作装置とし、ドアミラーの展開、格納の操作量を測定対象とする操作量測定システム及び操作量測定方法に適用してもよい。
さらに、本発明は、これらの幾つかを組み合わせた操作量測定システム及び操作量測定方法に適用してもよい。
また、特に車両の操作装置に限定されるものではなく、操作装置を有し、操作量の測定を必要とする操作量測定システム及び操作量測定方法に、本発明は広く適用可能である。
【符号の説明】
【００７３】
１…操作量測定システム、２…車両、２１…操作装置、２１Ｓ…操作部、２３…測定部、２４…第１通信部、３…携帯端末、３１…記憶部、３２…インターフェイス部、３３…制御部、３４…表示部、３５…第３通信部、３６…第２通信部、４…ソフトウエア提供元、５…装置製造元。
【図１】
2019169816.tif 000003
【図２】
2019169816.tif 000004
【図３】
2019169816.tif 000005